(57)【要約】【課題】記録ヘッドのインクの吐出量、インクの吐出タイミング、インクの吐出サイクル、インクの種類を決定することができるインク着弾観察装置を提供すること。【解決手段】インク吐出部と記録媒体の隙間距離が３ｍｍ以内で、インク一滴の量が平均３０ピコリットル以下のインクジェットプリンタを対象としたインク着弾観察装置において、記録媒体とインクヘッドの間に、鏡面加工を施された厚さ５００μｍ以下のごく薄いピエゾ素子をインク吐出部と記録媒体の隙間に配置し、記録媒体上に発射されたインクの着弾状態、記録媒体への吸収状態の実像を、電力を供給され緊張状態となっているピエゾ素子の鏡面部に反射させ、その像を等倍以上の撮像倍率の光学系によって観察し、実際にインクへッドが画像形成のために８０ｍｍ／ｓｅｃ〜２０００ｍｍ／ｓｅｃの物理的空間移動動作をしているときと同等の状態でインク着弾からインク吸収までを観察する。【選択図】図１
2006192590.tif 000002
【特許請求の範囲】
【請求項１】
インク滴を吐出する記録ヘッドにより記録媒体上に画像を形成し、インク吐出部と記録媒体の隙間距離が３ｍｍ以内で、インク一滴の量が平均３０ピコリットル以下のインクジェットプリンタを対象としたインク着弾観察装置において、
記録媒体とインクヘッドの間に、鏡面加工を施された厚さ５００μｍ以下のごく薄いピエゾ素子をインク吐出部と記録媒体の隙間に配置し、記録媒体上に発射されたインクの着弾状態、記録媒体への吸収状態の実像を、電力を供給され緊張状態となっているピエゾ素子の鏡面部に反射させ、その像を等倍以上の撮像倍率の光学系によって観察し、実際にインクへッドが画像形成のために８０ｍｍ／ｓｅｃ〜２０００ｍｍ／ｓｅｃの物理的空間移動動作をしているときと同等の状態で、インク着弾からインク吸収までを高速度カメラを用いて連続的に観察できることを特徴とするインク着弾観察装置。
【発明の詳細な説明】
【技術分野】
【０００１】
本発明は、インク滴を吐出する記録ヘッドにより記録媒体上に画像を形成するインクジェットプリンタのインク着弾観察装置に関する。
【背景技術】
【０００２】
インクジェット方式のプリンタは、記録ヘッドから非常に小さなインク液滴を吐出することで像を形成する。この方式は記録する媒体、主に、紙の品質によって形成される像の品質が大きく左右される。記録に使用するインク液滴は２００３年現在で３０ピコリットル以下の極少量になっており、それにより形成される画像は今まで以上に紙質の影響を受けるようになっている。
【０００３】
そこで、紙質に応じた記録ヘッドのインクの吐出量、インクの吐出タイミング、インクの吐出サイクル、インクの種類等を細かく制御する必要性が生じている。
【０００４】
従来は、ユーザが紙質に応じた記録ヘッドの動作モードを、出力する用紙によって「写真画質用紙」、「高品位用紙」、「普通紙」等のように、マニュアルで選択することで対応してきた。
【０００５】
しかしながら、この方法は、ユーザーが用紙の種類に応じた動作モードを適切に選択しなかった場合、不適切な出力像が形成される。例えば、動作モードが「写真画質用紙」の記録ヘッドで、普通紙に出力を行うと、インク量が過多になり、出力画像の空間周波数の高い部分等が潰れてしまう。実際にモード設定の間違いによる用紙出力の失敗は多くあり、これらの全て自動で行えることが理想とされている。
【０００６】
そこで、フォトセンサを使って、印刷前に紙質を予め測定するという方法が提案され、製品化もされており公知の技術になっている。この方法は被測定用紙の表面粗さが用紙の品質によって違うということを選択基準にしており、用紙に検査光を照射して、その正反射成分と乱反射成分をフォトセンサで検出し、検出された信号の比率から用紙の品質を決定する。
【０００７】
しかしながら、この方式は前述の通り高品位な出力が可能な用紙は表面が滑らかで、低品位な出力しかできない用紙の表面は荒れている、という原則に従っており、高品位な画像形成が可能であるにも拘らず表面が荒れているという用紙が出現した場合には対応ができない。実際にインク滴を素早く吸収するためのクレーコート層を形成した用紙は、高品位用紙とされている表面が非常に滑らかな用紙よりも表面反射率が低いものも存在する。
【０００８】
又、普通紙に実際のインク滴の着弾寸前に、インク定着液滴を吐出しておき、その上部にインク滴を着弾させることにより、普通紙で高品位用紙並の画像形成能力を持たせる方法も提案され、実際に製品化がされており公知の技術になっている。こちらも先ほどと同様に用紙の表面荒さの違いによる検査光の反射率を使った紙質判定方法では対応できない。
【０００９】
そこで、着弾中のインク液滴のドット広がりを測定することで紙質を判別するのが確実であると、インクジェットプリンタ業界での意見の一致が見られる。現在までに提案されているのは特許文献１に代表されるような方式である。この方式はインク液滴を吐出する記録ヘッドと同期してセンサ、又はカメラが動き、インクの着弾後の画像を撮影する。撮影した画像を計算機等で画像処理して着弾したインク滴の広がり具合を定量化し、記録ヘッドのインクの吐出量、インクの吐出タイミング、インクの吐出サイクル、インクの種類の決定を行う。
【００１０】
インクジェット方式の画像の鮮鋭化のためには、設計やシュミレーション通りに、吐出されたインク滴の弾道がなるべく直線でノズル直下に落ちなければならない。しかしながら、実際はインクジェットプリンタ装置内の気流の動き等があるので、インク滴が極少量になればなるほど、気流の影響を受けることになる。この影響をなるべく少なくするために２００３年現在では、記録ヘッドのインク吐出のためのノズル部から用紙までの距離、俗に紙間と呼ばれる距離が１．０ｍｍ〜１．５ｍｍという狭さになっている。
【００１１】
このような状況になった今、前述の先願例のような方式では、インクが用紙に着弾してから或る一定時間がたってからしか、インク滴の具合がセンシングできない。２００３年現在、キヤノン社の代表的な高速インクジェットプリンタは記録ヘッドが６００ｍｍ／ｓｅｃ程度で用紙上を動くことを実現している。しかしながら、記録ヘッドの体積をゼロということにはできないので、前述の先願例の方式をキヤノン社の前述のプリンタに応用すると、実際のインク着弾が起こってから約３００ｍｓｅｃ以降のインク拡がりの様子しか観察できない。
【００１２】
現在、インクジェットプリンタによって画像形成する際に発生している現象で、分かっていることは２つあり、１つは、インク滴が着弾してから浸透が完了するまでに約１０ｍｓｅｃ〜５００ｍｓｅｃ掛かっているということと、もう１つは、異色のインク滴が混合する場合の化学反応は１００μｓｅｃ以下で起こっているということである。高品質な画像出力のためには、これらの２つの現象をセンサやカメラで捉えて定量化し、記録ヘッドのインクの吐出量、インクの吐出タイミング、インクの吐出サイクル、インクの種類を決定をすることが必要であるとされている。
【００１３】
【特許文献１】特開平０７−１３７２９０号公報
【発明の開示】
【発明が解決しようとする課題】
【００１４】
このことは、紙間が１．０ｍｍ〜１．５ｍｍの非常に狭いところに、所望の照明（検査光）を照射し、且つ、インク滴を吐出する記録ヘッドのノズル直下における用紙へのインク着弾の様子を観察しなければならないという課題となる。又、主に発売されているインクジェットプリンタは、インクヘッドは直線動作させることによって、画像を形成させるため、インクヘッド動作が５００ｍｍ／ｓｅｃ〜２０００ｍｍ／ｓｅｃの高速になると、観察装置全体の振動やインクヘッドと記録媒体の間における乱気流等の影響が生じ、等倍以上の光学系でインク着弾を観察することは非常に困難な課題となる。
【００１５】
本発明は上記問題に鑑みてなされたもので、その目的とする処は、記録ヘッドのインクの吐出量、インクの吐出タイミング、インクの吐出サイクル、インクの種類を決定することができるインク着弾観察装置を提供することにある。
【課題を解決するための手段】
【００１６】
上記目的を達成するため、本発明は、インク滴を吐出する記録ヘッドにより記録媒体上に画像を形成し、インク吐出部と記録媒体の隙間距離が３ｍｍ以内で、インク一滴の量が平均３０ピコリットル以下のインクジェットプリンタを対象としたインク着弾観察装置において、記録媒体とインクヘッドの間に、鏡面加工を施された厚さ５００μｍ以下のごく薄いピエゾ素子をインク吐出部と記録媒体の隙間に配置し、記録媒体上に発射されたインクの着弾状態、記録媒体への吸収状態の実像を、電力を供給され緊張状態となっているピエゾ素子の鏡面部に反射させ、その像を等倍以上の撮像倍率の光学系によって観察し、実際にインクへッドが画像形成のために８０ｍｍ／ｓｅｃ〜２０００ｍｍ／ｓｅｃの物理的空間移動動作をしているときと同等の状態で、インク着弾からインク吸収までを高速度カメラを用いて連続的に観察できることを特徴とする。
【発明の効果】
【００１７】
本発明によれば、インクジェットプリンタの記録ヘッドのインク吐出ノズル直下の用紙へのインク着弾の様子を捉えることができ、その結果を定量化することで、記録ヘッドのインクの吐出量、インクの吐出タイミング、インクの吐出サイクル、インクの種類を決定することができる。特に、インクの種類、つまり、インク組成の決定等は職人的、経験的な開発要素を減らし、客観的なインクジェットプリンタ製品の開発を行うことができる。
【発明を実施するための最良の形態】
【００１８】
本発明は、インクジェットプリンタ製品の記録ヘッドと記録媒体のごく狭い隙間に、鏡面を施したピエゾ素子を配置して、インク着弾観察時には、そのピエゾ素子に電力を供給して、それ自体に緊張力を持たせ、インクヘッドが生じさせる乱気流による鏡面の振動を最小限に抑え、ぶれの無い反射像を取得できるインク着弾観察を実施する。
【００１９】
以下、本発明の詳細を図示した実施のの形態に基づいて説明する。
【００２０】
図１はインクジェットプリンタの概要を示したものである。用紙１０１の上でスライドバー１０２によって移動位置を規制されたインクを吐出する記録ヘッド１０３が、キャリッジモータ１０４に接続されたキャリッジタイミングベルト１０５によって往復運動する。同時に給紙ステップモータ１０６にカップリング接続された給紙ローラ１０７、排紙ステップモータ１０８にカップリング接続された排紙ローラ１０９が用紙１０１を移動させる。
【００２１】
ヘッド１０３、キャリッジモータ１０４、給紙ステップモータ１０６、排紙ステップモータ１０７にはそれぞれヘッド制御信号線１１０、キャリッジモータ制御信号線１１１、給紙ステップモータ制御信号線１１２、排紙ステップモータ制御信号線１１３が接続されており、これらを外部から独立して制御させることが可能になっている。制御は主にパソコン等によって行われ、パソコンから任意の適当な制御信号をそれぞれに送ることで、用紙１０１上にインクを滴下して任意の画像を形成することができる。出力画像を白色にするとき、つまり、インクの吐出をさせない時はインク吸収体１１４の上でヘッド１０３は待機し、この位置をヘッド１０３の初期基準位置とする。現存のインクジェットプリンタ製品は以上に述べた構成となっている。
【００２２】
図２は図１のインクジェットプリンタの部品構成を排紙側を視点にして図示したものである。
【００２３】
用紙１０１は、給紙ローラ１０７と排紙ローラ１０９によってプラテン２０１に押し付けられながら、ヘッド１０３との距離が常に同じ距離になるように搬送される。ヘッド１０３と用紙１０１の距離のことを俗に「紙間」と呼ぶ。本実施の形態では、紙間２０２が１．５ｍｍになるように非常に狭く設定している。これでインクの極小液滴が気流等の影響で飛翔経路がイレギュラーになることを最小限に抑えている。先述のようにヘッド１０３にインクの吐出をさせない時は、インク吸収体１１４の上部で待機しこの位置を初期基準位置２０３とする。
【００２４】
図３はヘッド１０３を底面から覗く方向を視点とした図である。Ｃ−Ｍ−Ｙ−Ｂｋインク、つまりシアン、マゼンタ、イエロー、ブラックのインクを用いて総天然色画像を得るのは、印刷業界公知のカラー印刷原理である。理論的には、シアン、イエロー、マゼンタで、人間の感応で要求する色全てを表現できるが、より好ましい画像、例えばアジア系人種の黒髪の自然画像等をくっきり黒く表現するには、ブラック専用のインクを用意した方が良いので、この構成となっている場合が多い。
【００２５】
Ｂｋノズルは１２８個を直線的に並べられ、１２．７ｍｍのＢｋノズル列３０１を構成している。その他の色であるＹノズル、Ｍノズル、Ｃノズルもそれぞれ同様に１２８個を直線的に並べられ全長１２．７ｍｍの、Ｙノズル列３０２、Ｍノズル列３０３、Ｃノズル列３０４を構成している。Ｂｋノズル列３０１は端面から１５ｍｍの位置に構成され、２．５４ｍｍ空けてＹノズル列３０２、そこから１．２７ｍｍあけてＭノズル列３０３、そこから１．２７ｍｍあけてＣノズル列３０４が構成されている。Ｃノズル列もＢｋノズル列３０１同様、端面から１５ｍｍに位置する。
【００２６】
これは、２００３年現在のキヤノン社におけるインクジェットプリンタのインクヘッド構成である。民生用インクジェットプリンタとして製造販売されているものは、おおかた似たような構成であり、例えばエプソン社、ヒューレットパッカード社、レックスマーク社等のインクジェットプリンタのインクヘッドは同様の構成といって良い。
【００２７】
この構成のインクジェットプリンタのインクヘッドから吐出されるインク滴の記録媒体へのインク着弾、インク吸収等を、先願例である特開平０７−１３７２９０号公報に記載されたの方式を使ってセンシングするならば端面からのノズル列の距離が近ければ近いほどインク着弾直後のタイムラグを狭めることができるが、現実的に記録ヘッドを製作するには、端面から、約１０ｍｍ〜１５ｍｍ程度のスペースが必要となる。キヤノン社の高速インクジェットプリンタの場合は、キャリッジタイミングベルト１０５の巻き取り速度、つまり記録ヘッド１０３の移動速度が６００ｍｍ／ｓｅｃ前後なので、先願例の方式で観察したとすると、インク吐出後２５ｍｓｅｃ以降のインク着弾の様子しか捉えることができない。
【００２８】
図４は本発明に係るインクジェットプリンタのインク着弾観察装置である。
【００２９】
ヘッド１０３は、原稿の紙面垂直方向に往復運動する。用紙１０１は、市販製品の実際の印刷動作の際には、用紙１０１右から左に移動されるが、本発明に係るのインク着弾観察装置の場合は、用紙１０１は用紙台４０１上に置いたままである。用紙台４０１の内部には、エア配管４０２が構成されており、エアポンプ４０３を使って常に空気を掃気し、用紙１０１の平面性を保ったまま吸着している。用紙１０１が固定されているので、インク着弾を評価するためには、一度の単方向インクヘッドスキャン、又は、一度限りの往復インクヘッドスキャン、又は、複数回のインク滴重ね打ちスキャンだけで評価が完了するようなインク着弾パターンを予め検討、準備しておかなければならない。
【００３０】
インクヘッド１０３と用紙１０１に、鏡面を持ったピエゾ素子４０４を配置する。このピエゾ素子４０４の底面には、素子に直接、アルミ低温蒸着を施すことによって鏡面部４０５が構成されている。鏡面部４０５を含めたピエゾ素子４０４の厚みは５００μｍである。ピエゾ素子４０４には電力を供給するためのピエゾ素子ドライバ４０６が接続されている。インク着弾観察の際には、ドライバ４０６から、ピエゾ素子４０４に電力を供給し、素子自体に緊張力を持たせ、ヘッド１０３が、用紙１０１上を高速通過するときに生ずる乱気流などに打ち勝てるようにする。
【００３１】
インクヘッドの動作による乱気流によって生ずる、インク着弾観察装置への悪影響は、ミラーが空気圧変化によって微細振動を起こし、ミラーに写っている鏡像がぶれることである、特に観察拡大倍率を高くした場合に、この影響が顕著に現れる。
【００３２】
図５に、用紙１０１と、ピエゾ素子ミラー４０４と、インクヘッド１０３の位置関係を示す。ピエゾ素子４０４は、用紙１０１の上方８００μｍの場所に配置する。紙間１０１は、前述の通り１．５ｍｍ、つまり１５００μｍなので、ピエゾ素子４０４は乱気流の影響を受け易いヘッド１０３のごく近く２００μｍの位置に配置されることになる。しかしながら、本発明の主力請求範囲である、外部から電力を供給することによって任意に緊張力をオンオフできるピエゾ素子ミラーを用いれば、全く問題なくインク着弾を観察することが可能である。
【００３３】
インクの着弾画像は、用紙台４０１の下部から、等倍から４０倍の光学倍率を持った拡大光学系４０７を通して、ピエゾ素子４０４の鏡面部４０５を覗き込み反射像を取得して、高速度カメラ４０８に決像させる。このことからも分かるように、用紙−鏡面間距離５０１は、広ければ広いほどインク着弾画像の視野が広く取れることが分かる。ピエゾ素子ではない５００μｍ程度の薄いガラス板に金属蒸着膜を施しただけでは、用紙−鏡面間距離５０１を広く取ろうとしても、それだけインクヘッド１０３に接近するので乱気流の影響を直接受けてしまう。その場合は用紙−鏡面間距離５０１は４００〜６００μｍ程度しか広げることができず、光学像に用紙台４０１によるケラレが生じ、非常に視野の狭い画像しか取得できない。
【００３４】
図６は拡大光学系４０７の詳細を示したものである。本実施の形態では、前述の通り等倍から４０倍の拡大光学系を使用する。照明は同軸落射方式を採用したが、別の照明方式、例えば正反射方式を用いても一向に構わない。
【００３５】
白色光源６０１から発生したムラのある光は、拡散板６０２を通過し、一様な光量分布の光となる。そのうちでも分布の素性が良い光軸中心部分の光を照明スリット６０３によって通過させ、照明レンズ６０４を使ってビームスプリッタ６０５に向かわせる。ビームスプリッタ６０５によって９０度曲げられた照明光は対物レンズ６０６を使ってピント面５０７に収束される。実際には対物レンズ６０６とピント面６０７の間には、ピエゾ素子４０４の鏡面部４０５があり光路が曲げられ、ピント面６０７が、用紙１０１の表面位置になる。用紙１０１にインクが着弾したときの像は、観察した対物レンズ６０６によって平行光にされ、ビームスプリッタ６０５を再び通過し、拡大光学系４０７内部に構成された、センサ結像レンズ６０８によって、高速度カメラ４０８内部に構成された撮像面６０９上に用紙１０１上で生じているインク着弾像が結像される。
【図面の簡単な説明】
【００３６】
【図１】インクジェットプリンタの概略構成を示す斜視図である。
【図２】インクジェットプリンタの記録ヘッド部を排紙側を視点にした部品の位置関係図である。
【図３】代表的な民生品インクジェットプリンタのインクヘッド構成を示す図である。
【図４】インク着弾観察装置の各コンポーネントの配置図である。
【図５】鏡面を持ったピエゾ素子の配置寸法を示す図である。
【図６】インクの着弾状態を観察する同軸照明光学系の構成図である。
【符号の説明】
【００３７】
１０３    記録ヘッド
１０４    キャリッジモータ
１０５    キャリッジタイングベルト
１０６    給紙ステップモータ
１０７    給紙ローラ
１０８    排紙ステップモータ
１０９    排紙ローラ
４０１    用紙台
４０２    エア配管
４０３    エアポンプ
４０４    ピエゾ素子
４０５    鏡面部
４０６    ピエゾ素子ドライバ
４０７    拡大光学系
４０８    光速度カメラ
６０１    白色光源
６０２    拡散板
６０３    照明スリット
６０４    照明レンズ
６０６    対物レンズ
【図１】
2006192590.tif 000003
【図２】
2006192590.tif 000004
【図３】
2006192590.tif 000005
【図４】
2006192590.tif 000006
【図５】
2006192590.tif 000007
【図６】
2006192590.tif 000008